(57)【要約】【課題】ＩＣカードを複数枚所有している場合に、発券機などで乗車直前に操作せずとも、改札機にて所望のＩＣカードの残額を別のＩＣカードに移行できるようにする。【解決手段】サーバに、残額の取り出しを希望する移行元ＩＣカードと取り出した残額の加算を希望する移行先ＩＣカードに関する移行予約情報を前記利用者端末から受け付ける移行予約手段と、前記移行予約情報を記憶する記憶手段とを備え、改札機に、前記ＩＣカードリーダライタで読取ったＩＣカードが移行予約された前記移行元ＩＣカードまたは前記移行先ＩＣカードであるか否かを判定する移行判定手段と、前記移行元ＩＣカードであった場合に該移行元ＩＣカードから残額を取り出して前記サーバに登録する残額取出手段と、前記移行先ＩＣカードであった場合に前記サーバから取得した残額を該移行先ＩＣカードに加算する残額加算手段とを備えた残額移行システムを提供する。【選択図】図１
2009217675.tif 000002
【特許請求の範囲】
【請求項１】
ＩＣカードに対して情報の読み書きを行うＩＣカードリーダライタを有する改札機と、
前記改札機との通信および利用者の使用する利用者端末との通信を許容するサーバとを備え、
前記サーバに、
残額の取り出しを希望する移行元ＩＣカードと取り出した残額の加算を希望する移行先ＩＣカードに関する移行予約情報を前記利用者端末から受け付ける移行予約手段と、
前記移行予約情報を記憶する記憶手段とを備え、
前記改札機に、
前記ＩＣカードリーダライタで読取ったＩＣカードが移行予約された前記移行元ＩＣカードまたは前記移行先ＩＣカードであるか否かを判定する移行判定手段と、
前記移行元ＩＣカードであった場合に該移行元ＩＣカードから残額を取り出して前記サーバに登録する残額取出手段と、
前記移行先ＩＣカードであった場合に前記サーバから取得した残額を該移行先ＩＣカードに加算する残額加算手段とを備えた
残額移行システム。
【請求項２】
前記残額取出手段による残額の取り出しは、利用者が駅構内に入場する際の入場処理にて実行する構成とし、
前記残額加算手段による残額の加算は、利用者が駅構内から出場する際の出場処理にて実行する構成とした
請求項１記載の残額移行システム。
【請求項３】
前記移行予約手段を、登録される移行元ＩＣカードと移行先ＩＣカードの入出場状態を判定し、両ＩＣカードが入場状態でなければ移行予約を許容し、少なくとも一方のＩＣカードが入場状態であれば移行予約を禁止する構成とした
請求項１または２記載の残額移行システム。
【請求項４】
前記記憶手段を、発行されているＩＣカードについて本人認証可能な登録認証情報を記憶しておく構成とし、
前記サーバに、
本人確認可能な認証情報を前記利用者端末から入力させる認証情報入力手段と、
該認証情報入力手段で入力された入力認証情報と前記登録認証情報とに基づいて本人認証を行う本人認証手段とを備え、
前記移行予約手段を、前記本人認証で本人と確認できれば移行予約を完了し、本人と確認できなければ移行予約を拒否する構成とした
請求項１、２または３記載の残額移行システム。
【請求項５】
残額の取り出しを希望する移行元ＩＣカードと取り出した残額の加算を希望する移行先ＩＣカードに関する移行予約情報を利用者端末にて登録許容し、
改札機で前記移行元ＩＣカードを読取ったときに該移行元ＩＣカードから残額を取り出し、
改札機で前記移行先ＩＣカードを読取ったときに、前記移行元ＩＣカードから取り出した残額がサーバにあれば該残額を移行先ＩＣカードに加算する
残額移行方法。
【請求項６】
ＩＣカードに対して情報の読み書きを行うＩＣカードリーダライタを備えた改札機であって、
通信可能に接続されているサーバから受け取る移行予約情報に基づいて前記ＩＣカードリーダライタで読取ったＩＣカードが移行予約されている移行元ＩＣカードまたは移行先ＩＣカードであるか否かを判定する移行判定手段と、
移行元ＩＣカードであった場合に該移行元ＩＣカードから残額を取り出して前記サーバに登録する残額取出手段と、
移行先ＩＣカードであった場合に前記サーバから取得した残額を該移行先ＩＣカードに加算する残額加算手段とを備えた
改札機。
【発明の詳細な説明】
【技術分野】
【０００１】
この発明は、例えばＩＣカードに残っている残額を別のＩＣカードに移行するような残額移行システムとその方法、および改札機に関する。
【背景技術】
【０００２】
従来、鉄道の改札機にて、運賃の支払い確認のために磁気カードやＩＣカードが用いられている。近年提供されているＩＣカードは、金銭価値をチャージしておくことができる。そして、利用者がこのＩＣカードを用いて駅に入場し、別の駅で出場する際、運賃がその金額内であれば、チャージ金額から運賃を減算して出場許可される。これにより、鉄道を利用する毎に乗車券を購入しなくとも、利用者は、十分な金銭価値がチャージされているＩＣカードを用いてスムーズに入場および出場を行うことができる。
【０００３】
このようなＩＣカードに関する従来技術として、駅務機器および駅務システムが提案されている（特許文献１参照）。この駅務機器および駅務システムは、利用者が端末装置からインターネットを介して積増予約用ホームページにアクセスし、キャッシュカードやクレジットカードを用いてＩＣカードに積み増し予約するものである。そして、利用者がこのＩＣカードを用いて駅務機器を使用した際に、積増予約情報に基づいて積増処理を行うものである。これにより、ＩＣカードの積増の機会を増やし、利便性を向上できるとされている。
【０００４】
ところで、ＩＣカードは、複数種類が提供されている。これは、鉄道事業者別に異種のＩＣカードが発行され、また記念行事にて記念ＩＣカードが発行されるからである。そして、改札機は、このような多種類のＩＣカードを受け付けて入場処理および出場処理を実行できるように構成されている。
【０００５】
そして、このような複数のＩＣカードを所有している利用者は、各ＩＣカードの残額を１枚のＩＣカードにまとめたいと望む場合がある。例えば、チャージされている残額が少なくなっているＩＣカードは、その残額を別のＩＣカードに移行させて金銭価値を処分してしまいたいことがある。また、記念ＩＣカードを収集しているコレクターは、記念ＩＣカードに記憶されている残額を別のＩＣカードにまとめて、記念ＩＣカードを大切に保管しておきたいという要望を持っている。
【０００６】
上述した駅務機器および駅務システムは、ＩＣカードに積み増しできるものの、残額を処理することができなかった。このため、所有するＩＣカードの枚数増加に対して、役立てることができなかった。
【０００７】
これに対し、２つのＩＣカード間で金額を移し替える情報記憶媒体処理装置が提案されている（特許文献２参照）。この情報記憶媒体処理装置は、発券機で２つのＩＣカードを受け付け、利用者の操作に基づいて一方のＩＣカードの金額を他方のＩＣカードに移すものである。
【０００８】
しかし、発券機に２枚のＩＣカードを投入して移しかえる操作は、煩雑であった。特に、電車の発車時間ぎりぎりに駅に到着した場合、入場前に発券機で移し替え操作をしていると、電車の出発時間に間に合わなくなるという問題があった。
【特許文献１】特開２００２−２６００２３号公報
【特許文献２】特開２００２−２８８６０３号公報
【発明の開示】
【発明が解決しようとする課題】
【０００９】
この発明は、上述の問題に鑑み、ＩＣカードを複数枚所有している場合に、発券機などで乗車直前に操作せずとも、改札機にて所望のＩＣカードの残額を別のＩＣカードに移行できる残額移行システムとその方法、および改札機を提供し、複数枚のＩＣカードを所有している場合の利便性を向上することを目的とする。
【課題を解決するための手段】
【００１０】
この発明は、ＩＣカードに対して情報の読み書きを行うＩＣカードリーダライタを有する改札機と、前記改札機との通信および利用者の使用する利用者端末との通信を許容するサーバとを備え、前記サーバに、残額の取り出しを希望する移行元ＩＣカードと取り出した残額の加算を希望する移行先ＩＣカードに関する移行予約情報を前記利用者端末から受け付ける移行予約手段と、前記移行予約情報を記憶する記憶手段とを備え、前記改札機に、前記ＩＣカードリーダライタで読取ったＩＣカードが移行予約された前記移行元ＩＣカードまたは前記移行先ＩＣカードであるか否かを判定する移行判定手段と、前記移行元ＩＣカードであった場合に該移行元ＩＣカードから残額を取り出して前記サーバに登録する残額取出手段と、前記移行先ＩＣカードであった場合に前記サーバから取得した残額を該移行先ＩＣカードに加算する残額加算手段とを備えた残額移行システムであることを特徴とする。
【００１１】
前記移行元ＩＣカードおよび移行先ＩＣカードは、ＲＦ−ＩＤと呼ばれる非接触ＩＣカード等で構成することができる。  
前記移行予約情報は、移行元ＩＣカードを識別可能な移行元ＩＣカード識別情報、および移行先ＩＣカードを識別可能な移行先ＩＣカード識別情報等により構成することができる。移行元か移行先かは、これらの識別情報を順番に記憶してその記憶順で区別する、あるいは移行元と移行先を区別可能な区別情報を記憶することで区別すると良い。
【００１２】
この発明により、ＩＣカードを複数枚所有している利用者は、利用者端末から事前に移行予約を行えば、改札機の通過時に所望のＩＣカードの残額を別のＩＣカードに移行できる。したがって、発券機などで乗車直前に操作する必要がなく、電車への乗り遅れを防止でき、利便性を向上することができる。
【００１３】
この発明の態様として、前記残額取出手段による残額の取り出しは、利用者が駅構内に入場する際の入場処理にて実行する構成とし、前記残額加算手段による残額の加算は、利用者が駅構内から出場する際の出場処理にて実行する構成とすることができる。
【００１４】
これにより、入場時に残額を取り出し、出場時に残額を加算することができる。従って、利用者は、入場時に移行元ＩＣカードだけを用い、出場時に移行先ＩＣカードだけを用いればよく、通常の入場や出場と同様に１枚のＩＣカードで通過できる。また、改札機は、ＩＣカードの二枚処理が必要ないため、非接触ＩＣカードを二枚使用する際に生じるデータの混信の対応が不要となる。
【００１５】
またこの発明の態様として、前記移行予約手段を、登録される移行元ＩＣカードと移行先ＩＣカードの入出場状態を判定し、両ＩＣカードが入場状態でなければ移行予約を許容し、少なくとも一方のＩＣカードが入場状態であれば移行予約を禁止する構成とすることができる。
【００１６】
これにより、ＩＣカードが正常でない状態のまま移行予約が行われることを防止できる。従って、例えば、移行予約を登録したにも関わらず改札機の通過時にエラーとなって残額移行できないトラブルや、不正に残額移行が行われることを防止できる。
【００１７】
またこの発明の態様として、前記記憶手段を、発行されているＩＣカードについて本人認証可能な登録認証情報を記憶しておく構成とし、前記サーバに、本人確認可能な認証情報を前記利用者端末から入力させる認証情報入力手段と、該認証情報入力手段で入力された入力認証情報と前記登録認証情報とに基づいて本人認証を行う本人認証手段とを備え、前記移行予約手段を、前記本人認証で本人と確認できれば移行予約を完了し、本人と確認できなければ移行予約を拒否する構成とすることができる。
【００１８】
本人認証可能な登録認証情報および入力認証情報は、利用者の氏名、生年月日、電話番号、またはメールアドレス等、本人認証可能な１以上の情報で構成することができる。  
この態様により、例えば拾ったＩＣカードの残額を自分のＩＣカードに移行するなど、本人以外の者がＩＣカードの残額を移行することを防止できる。
【００１９】
またこの発明は、残額の取り出しを希望する移行元ＩＣカードと取り出した残額の加算を希望する移行先ＩＣカードに関する移行予約情報を利用者端末にて登録許容し、改札機で前記移行元ＩＣカードを読取ったときに該移行元ＩＣカードから残額を取り出し、改札機で前記移行先ＩＣカードを読取ったときに、前記移行元ＩＣカードから取り出した残額がサーバにあれば該残額を移行先ＩＣカードに加算する残額移行方法とすることができる。  
これにより、利用者に登録された移行予約に従って、移行元ＩＣカードから残額を取り出し、取り出した残額を移行先ＩＣカードに加算することができる。
【００２０】
またこの発明は、ＩＣカードに対して情報の読み書きを行うＩＣカードリーダライタを備えた改札機であって、通信可能に接続されているサーバから受け取る移行予約情報に基づいて前記ＩＣカードリーダライタで読取ったＩＣカードが移行予約されている移行元ＩＣカードまたは移行先ＩＣカードであるか否かを判定する移行判定手段と、移行元ＩＣカードであった場合に該移行元ＩＣカードから残額を取り出して前記サーバに登録する残額取出手段と、移行先ＩＣカードであった場合に前記サーバから取得した残額を該移行先ＩＣカードに加算する残額加算手段とを備えた改札機とすることができる。
【００２１】
これにより、改札機は、利用者に登録された移行予約に従って、移行元ＩＣカードから残額を取り出し、取り出した残額を移行先ＩＣカードに加算することができる。
【発明の効果】
【００２２】
この発明により、ＩＣカードを複数枚所有している場合に、発券機などで乗車直前に操作せずとも、改札機にて所望のＩＣカードの残額を別のＩＣカードに移行できる残額移行システムとその方法、および改札機を提供し、複数枚のＩＣカードを所有している場合の利便性を向上することができる。
【発明を実施するための最良の形態】
【００２３】
この発明の一実施形態を以下図面と共に説明する。  
図１は、残額移行システム１のシステム構成図を示す。  
残額移行システム１は、サーバ２、インターネット４、利用者端末５、および改札機７で構成されている。これらのサーバ２、利用者端末５、および改札機７は、インターネット４により通信可能に接続されている。
【００２４】
サーバ２および利用者端末５は、コンピュータで構成されており、キーボードとマウスといった入力装置、ＣＲＴディスプレイまたは液晶ディスプレイといった表示装置、ＣＰＵとＲＯＭとＲＡＭといった制御装置、ハードディスクや不揮発性メモリといった記憶装置、および、ＬＡＮボードやＬＡＮカードといった通信装置が設けられている。  
また、サーバ２は、記憶装置内にデータベース３が記憶されている。このデータベース３には、発行済みの全ての非接触ＩＣカード９のＩＣカード情報３ａと、残額移行の予約登録に関する移行予約情報３ｂとが記憶されている。ＩＣカード情報３ａは、カードＩＤ、利用者氏名、電話番号、生年月日、および乗車履歴などにより構成されている。
【００２５】
改札機７は、非接触ＩＣカードリーダライタ７ａ、開閉扉７ｂ、制御装置７ｃ、および記憶装置７ｄが設けられている。  
非接触ＩＣカードリーダライタ７ａは、非接触ＩＣカード９（９ａ，９ｂ）と非接触で通信を行い、非接触ＩＣカード９に記憶されている情報の読取と書き込みを実行する。
【００２６】
非接触ＩＣカード９は、制御部と記憶部を有するＩＣチップと、通信用のアンテナとで構成されている。
【００２７】
図２は、残額移行登録画面２０の構成図を示す。この残額移行登録画面２０は、利用者端末５からサーバ２にアクセスして残額移行したい非接触ＩＣカード９を登録する際に、サーバ２が利用者端末５の表示装置に表示させるものである。
【００２８】
残額移行登録画面２０は、移行元ＩＣカード入力部２１、移行先ＩＣカード入力部２２、氏名（漢字）入力部２３、氏名（カナ）入力部２４、生年月日入力部２５、電話番号入力部２６、メールアドレス入力部２７、登録ボタン２８、およびキャンセルボタン２９が設けられている。
【００２９】
移行元ＩＣカード入力部２１は、残額を取り出す（減額する）移行元非接触ＩＣカード９ａを登録する部分であり、カード種別入力部２１ａとカードＩＤ入力部２１ｂとが設けられている。
【００３０】
移行先ＩＣカード入力部２２は、残額を加算する（増額する）移行先非接触ＩＣカード９ｂを登録する部分であり、カード種別入力部２２ａとカードＩＤ入力部２２ｂとが設けられている。
【００３１】
氏名（漢字）入力部２３は、利用者の氏名を漢字で入力する入力部である。  
氏名（カナ）入力部２４は、利用者の氏名をカタカナで入力する入力部である。  
生年月日入力部２５は、利用者の生年月日を入力する入力部である。  
電話番号入力部２６は、利用者の電話番号を入力する入力部である。
【００３２】
メールアドレス入力部２７は、残額の移行予約を登録できたことを通知するメールアドレスの入力部である。  
登録ボタン２８は、残額移行の登録を確定するボタンである。  
キャンセルボタン２９は、残額移行の登録をキャンセルするボタンである。
【００３３】
これらの各項目（２１〜２７）に入力された内容は、移行予約情報３ｂとしてサーバ２のデータベース３に登録される。  
上記各項目のうち、カードＩＤ入力部２１ｂ，２２ｂと、生年月日入力部２５は、必須入力項目に設定されている。なお、生年月日入力部２５の代わりに電話番号入力部２６を必須入力項目とする、あるいは生年月日入力部２５と電話番号入力部２６のうちどちらか一方を必須入力項目としてもよい。このように生年月日入力部２５または電話番号入力部２６を必須入力項目として入力させることで、本人確認が可能になる。
【００３４】
なお、この残額移行登録画面２０は、これ以外にも他の入力部を備えても良い。たとえば、入場駅を入力させる入場駅入力部、出場駅を入力させる出場駅入力部、移行したい金額を入力させる移行金額入力部、またはこれらの複数を備えても良い。
【００３５】
入場駅入力部と出場駅入力部を備えた場合は、これらで指定された駅の改札機７にのみ移行予約情報３ｂをダウンロードさせて記憶させればよいため、改札機７に記憶するデータ量を少なくでき、また、移行予約の照合に要する照合時間を短くすることができる。  
移行金額入力部を備えた場合は、残額全額を移行するだけでなく、希望金額だけ移行できるため、残額を調整しつつ２枚の非接触ＩＣカード９を継続利用することができる。
【００３６】
図３は、利用者が利用者端末５を用いてサーバ２にアクセスして予約登録を行う残額移行登録処理のフローチャートを示す。
【００３７】
利用者が利用者端末５によりサーバ２にアクセスし、残額移行登録の処理が選択されると、サーバ２は、残額移行登録画面２０を利用者端末５に表示させて必要事項を入力させる（ステップＳ１）。
【００３８】
サーバ２は、データベース３に登録されているＩＣカード情報３ａを参照し、入力された移行予約情報３ｂ内の非接触ＩＣカード９（９ａ，９ｂ）の各カードＩＤ（ＩＤｉ）が存在し、かつ、当該カードＩＤのＩＣカード情報３ａに記憶されている生年月日と移行予約情報３ｂ内の生年月日とが一致するか否か本人確認する（ステップＳ２）。なお、本人確認は、生年月日に限らず、例えば氏名、電話番号またはメールアドレス等で行っても良い。
【００３９】
本人確認できた場合（ステップＳ２：Ｙｅｓ）、サーバ２は、データベース３のＩＣカード情報３ａに記憶されている乗車履歴を参照し、非接触ＩＣカード９（９ａ，９ｂ）の入出場状態に異常が無いか、つまり、いずれの非接触ＩＣカード９（９ａ，９ｂ）も出場状態となっているか否かを判定する（ステップＳ３）。
【００４０】
入出場状態がＯＫであった場合（ステップＳ３：Ｙｅｓ）、サーバ２は、残額移行登録画面２０で入力された内容を移行予約情報３ｂとしてデータベース３に登録する（ステップＳ４）。  
前記ステップＳ２またはＳ３でＮＯの場合、サーバ２はエラー出力を行い（ステップＳ５）、処理を終了する。
【００４１】
図４は、利用者が改札機７を通過して入場する際の入場減額処理のフローチャートを示す。  
改札機７は、予めサーバ２から移行予約情報３ｂを受信して記憶装置内にローカルダウンロードした移行予約情報７ｅとして記憶しておく（ステップＳ１１）。
【００４２】
改札機７は、利用者によって非接触ＩＣカードリーダライタ７ａにかざされた非接触ＩＣカード９からカード情報を読み取り（ステップＳ１２）、その中のカードＩＤを記憶装置７ｄ内の移行予約情報７ｅと照合する（ステップＳ１３）。
【００４３】
非接触ＩＣカード９が減額側として登録されている移行元非接触ＩＣカード９ａでなければ（ステップＳ１３：Ｎｏ）、改札機７は、通常の入場処理を実行する（ステップＳ１４）。
【００４４】
この通常の入場処理では、読取ったカード情報から、入場に必要な金額が残っているか、定期券として乗車できる有効区間内かなど、入場の可否を判定する。そして、改札機７は、入場可であれば入場駅情報などを非接触ＩＣカード９に書き込むと共に開閉扉７ｂを開いて通過許可し、入場不可であれば開閉扉７ｂを閉じて通過禁止する。
【００４５】
例えば、入場時に誤って移行先非接触ＩＣカード９ｂが用いられた場合は、この通常の入場処理を行う。この場合は、残額移行することなく、移行先非接触ＩＣカード９ｂを用いて通常改札を行うことになる。
【００４６】
非接触ＩＣカード９が減額側として登録されている移行元非接触ＩＣカード９ａであれば（ステップＳ１３：Ｙｅｓ）、改札機７は、読取ったカード情報から入場済みか否かを判定する（ステップＳ１５）。
【００４７】
入場済みであれば（ステップＳ１５：Ｙｅｓ）、エラー出力を行って処理を終了する（ステップＳ１６）。このエラー出力の際、改札機７は、開閉扉７ｂを閉じ、非接触ＩＣカード９が正常状態でないことを適宜の表示装置や音声出力装置等により利用者に通知する。
【００４８】
入場済みでなければ（ステップＳ１５：Ｎｏ）、改札機７は、入場処理および減額処理を実行する（ステップＳ１７）。ここで、入場処理は、ステップＳ１４と同一の処理である。減額処理は、改札機７が非接触ＩＣカードリーダライタ７ａにより移行元非接触ＩＣカード９ａから残額を取り出して移行元非接触ＩＣカード９ａを残額０円に更新する。なお、移行元非接触ＩＣカード９ａを残額０円に更新する代わりに、残額を削除する、あるいは移行元非接触ＩＣカード９ａを使用不可にしてもよい。
【００４９】
改札機７は、ステップＳ１７またはＳ１４が完了した後、一件明細データをサーバ２に送信し（ステップＳ１８）、処理を終了する。この一件明細データの送信では、ステップＳ１７で移行元非接触ＩＣカード９ａから取り出した残額をサーバ２のデータベース３に登録する。この残額の登録は、移行予約情報３ｂに追記する形で登録するとよい。他にも、一件明細データの送信では、ステップＳ１４，Ｓ１７の入場処理にて非接触ＩＣカード９が入場状態となっていることをデータベース３のＩＣカード情報３ａに登録する。
【００５０】
図５は、利用者が改札機７を通過して出場する際の出場増額処理のフローチャートを示す。  
改札機７は、予めサーバ２から移行予約情報３ｂを受信して記憶装置内にローカルダウンロードした移行予約情報７ｅとして記憶しておく（ステップＳ２１）。
【００５１】
改札機７は、利用者によって非接触ＩＣカードリーダライタ７ａにかざされた非接触ＩＣカード９からカード情報を読み取り（ステップＳ２２）、その中のカードＩＤを記憶装置７ｄ内の移行予約情報７ｅと照合する（ステップＳ２３）。
【００５２】
非接触ＩＣカード９が増額側として登録されている移行先非接触ＩＣカード９ｂでなければ（ステップＳ２３：Ｎｏ）、改札機７は、通常の出場処理を実行する（ステップＳ２４）。
【００５３】
この通常の出場処理では、読取ったカード情報から、入場状態であるか、出場に必要な金額が残っているか、定期券として乗車できる有効区間内かなど、出場の可否を判定する。そして、改札機７は、出場可であれば入場駅情報などを非接触ＩＣカード９から削除すると共に開閉扉７ｂを開いて通過許可し、出場不可であれば開閉扉７ｂを閉じて通過禁止する。
【００５４】
例えば、この出場処理で移行元非接触ＩＣカード９ａが用いられた場合、通常の出場処理が行われるから、減額されていれば残額０円で通過禁止となる。また、入場時に誤って移行先非接触ＩＣカード９ｂが用いられていて、出場時に移行元非接触ＩＣカード９ａが用いられたのであれば、移行元非接触ＩＣカード９ａに入場情報が記憶されていないために通過禁止となる。
【００５５】
非接触ＩＣカード９が増額側として登録されている移行先非接触ＩＣカード９ｂであれば（ステップＳ２３：Ｙｅｓ）、改札機７は、読取ったカード情報から入場済みか否かを判定する（ステップＳ２５）。
【００５６】
入場済みであれば（ステップＳ２５：Ｙｅｓ）、ステップＳ２４に処理を進めて通常の出場処理を行う（ステップＳ２４）。これにより、利用者が入場時に移行元非接触ＩＣカード９ａを使わずに移行先非接触ＩＣカード９ｂを使っていた場合、移行先非接触ＩＣカード９ｂ単体で通常の改札処理を実行できる。
【００５７】
なお、入場済みの場合（ステップＳ２５：Ｙｅｓ）、図に仮想線で示すように、エラー出力を行って処理を終了してもよい。このエラー出力の際、改札機７は、開閉扉７ｂを閉じ、入場時に移行元非接触ＩＣカード９ａが使われずに移行先非接触ＩＣカード９ｂが使われてしまっていることを適宜の表示装置や音声出力装置等により利用者に通知すると良い。これにより、移行登録を行っているのに入場時に移行元非接触ＩＣカード９ａを使っていないことを利用者に通知できる。
【００５８】
入場済みでなければ（ステップＳ２５：Ｎｏ）、改札機７は、増額処理および出場処理を実行する（ステップＳ２６）。増額処理は、サーバ２のデータベース３に記憶されている残額情報を改札機７が取得し、この残額を移行先非接触ＩＣカード９ｂに加算して増額更新する処理である。
【００５９】
出場処理では、改札機７が移行予約情報７ｅを参照し、ステップＳ２２で読取った移行先非接触ＩＣカード９ｂに対応する移行元非接触ＩＣカード９ａを特定する。そして、改札機７は、データベース３のＩＣカード情報３ａに記憶されている移行元非接触ＩＣカード９ａの乗車履歴から入場駅を取得して出場可否を判定する。この出場可否の判定は、移行元非接触ＩＣカード９ａの乗車履歴から入場駅が取得できるか否か、増額後の金額に出場に必要な金額が残っているか、定期券として乗車できる有効区間内かなどにより行う。  
なお、上述したステップＳ２１は、移行予約情報３ｂだけでなく、ステップＳ１８でサーバ２に送信された他の情報（入場駅情報など）も改札機７にローカルダウンロードしてもよい。この場合、ステップＳ２６の出場可否の判定を改札機７に記憶した情報だけで実行することができる。
【００６０】
改札機７は、ステップＳ２６またはＳ２４が完了した後、一件明細データをサーバ２に送信し（ステップＳ２７）、処理を終了する。この一件明細データの送信では、ステップＳ２６で増額していればサーバ２のデータベース３から残額を削除する。この残額の削除は、移行予約情報３ｂから対象となる移行登録の情報全体（１レコード）を削除するとよい。また、ステップＳ２４の出場処理にて非接触ＩＣカード９が出場状態となっていることをデータベース３のＩＣカード情報３ａに登録する。
【００６１】
以上の構成および動作により、非接触ＩＣカード９を複数枚所有している利用者は、所望の非接触ＩＣカード９の残額を別の非接触ＩＣカード９に移行することができる。
【００６２】
また、電鉄の利用で必ず１回ずつ行われる入場と出場を利用し、入場時に残額を取り出し（減額し）出場時に残額を加算（増額）して処理を完結するため、利用者が残額を取り出したまま加算を忘れるといったことを防止できる。
【００６３】
また、入場時に残額を取り出して０円に更新するため、出場時に移行元非接触ＩＣカード９ａが誤使用されると、改札機７は通常処理にて残額０円を検出し、出力手段である開閉扉７ｂを閉じて通過禁止することができる。これにより、利用者は、移行予約を行っていたことを思い出し、移行先非接触ＩＣカード９ｂを使用して残額加算して出場できる。従って、利用者の加算忘れを防止することができる。
【００６４】
また、移行元非接触ＩＣカード９ａからの残額の取り出しと、移行先非接触ＩＣカード９ｂへの残額の加算という２つの処理を、入場時と出場時でそれぞれ別個に行うため、入場時と出場時のどちらか一方で二枚の非接触ＩＣカード９を一度に処理するよりも改札に要する時間を短縮できる。従って、改札機で処理時間が長引いて利用者を待たせてしまい、混雑に繋がるといったことを防止できる。
【００６５】
また、残額の取り出しを入場時にのみ行うため、出場時に残額を取り出してしまい移行先非接触ＩＣカード９ｂに加算できないといったことを防止できる。
【００６６】
また、非接触ＩＣカード９（９ａ，９ｂ）がそれぞれ入場状態であれば、残額の取り出しや残額の加算を行わないため、非接触ＩＣカード９（９ａ，９ｂ）に何らかの不正操作が行われた場合に残額を移行してしまうことを防止できる。すなわち、残高の移行を行う場合、入場時の移行元非接触ＩＣカード９ａと出場時の移行先非接触ＩＣカード９ｂは、いずれも入場していない状態（出場状態）のはずであるから、入場状態であるということは、何らかの不正処理あるいは通常と異なる処理が行われていることになる。このような場合に残額の移行を防止することで、不正行為を防止できる。
【００６７】
なお、以上の実施形態では、入場時に減額処理、出場時に増額処理を実行する構成としたが、他の構成とすることも可能である。
【００６８】
例えば、１回目の利用で入場時および出場時に移行元非接触ＩＣカード９ａを用い、同日の２回目の利用で入場時および出場時に移行先非接触ＩＣカード９ｂを用いることも可能である。この場合、１回目の入場時と出場時のどちらかで減額処理を行い、２回目の入場時と出場時のどちらかで増額処理を行えばよい。
【００６９】
これにより、例えば出かける際の往路利用時に減額処理を行い、復路利用時に増額処理を行って、一日で残額の移行を完了させることができる。  
この場合も、改札機７の通過を一枚の非接触ＩＣカード９で行えるため、高速処理が可能となり、混雑を防止することができる。また、復路で移行元非接触ＩＣカード９ａを誤使用すると、通常処理により残額が０円で通過不可を検出して開閉扉７ｂを閉じることができ、これによって利用者が気づいて移行先非接触ＩＣカード９ｂを使用し残額移行を確実に完了させることができる。
【００７０】
また、改札機７に移行予約情報７ｅをダウンロードして記憶しておく構成としたが、これに限らず、サーバ２のデータベース３に記憶した移行予約情報３ｂを利用してもよい。この場合、ステップＳ１１，Ｓ２１を省略し、ステップＳ１３，Ｓ２３にて、データベース３の移行予約情報３ｂを用いてカードＩＤを照合すればよい。
【００７１】
この発明の構成と、上述の実施形態との対応において、
この発明の記憶手段は、実施形態のデータベース３に対応し、
以下同様に、
登録認証情報は、カード情報３ａの生年月日に対応し、
移行予約情報は、移行予約情報３ｂに対応し、
ＩＣカードリーダライタは、非接触ＩＣカードリーダライタ７ａに対応し、
ＩＣカードは、非接触ＩＣカード９に対応し、
移行元ＩＣカードは、移行元非接触ＩＣカード９ａに対応し、
移行先ＩＣカードは、移行先非接触ＩＣカード９ｂに対応し、
認証情報入力手段は、生年月日入力部２５に対応し、
移行予約手段は、ステップＳ１〜Ｓ５を実行するサーバ２の制御装置に対応し、
本人認証手段は、ステップＳ２を実行するサーバ２の制御装置に対応し、
移行判定手段は、ステップＳ１３またはステップＳ２３を実行する制御装置７ｃに対応し、
残額取出手段は、ステップＳ１７を実行する制御装置７ｃに対応し、
残額加算手段は、ステップＳ２６を実行する制御装置７ｃに対応し、
入場処理は、ステップＳ１１〜Ｓ１８に対応し、
出場処理は、ステップＳ２１〜Ｓ２７に対応するが、
この発明は、上述の実施形態の構成のみに限定されるものではなく、多くの実施の形態を得ることができる。
【図面の簡単な説明】
【００７２】
【図１】残額移行システムのシステム構成図。
【図２】残額移行登録画面の構成図。
【図３】サーバによる残額移行登録処理のフローチャート。
【図４】改札機による入場減額処理のフローチャート。
【図５】改札機による出場増額処理のフローチャート。
【符号の説明】
【００７３】
１…残額移行システム、２…サーバ、３…データベース、３ａ…カード情報、３ｂ…移行予約情報、５…利用者端末、７…改札機、７ａ…非接触ＩＣカードリーダライタ、７ｃ…制御装置、９…非接触ＩＣカード、９ａ…移行元非接触ＩＣカード、９ｂ…移行先非接触ＩＣカード、２５…生年月日入力部
【図１】
2009217675.tif 000003
【図２】
2009217675.tif 000004
【図３】
2009217675.tif 000005
【図４】
2009217675.tif 000006
【図５】
2009217675.tif 000007